(57)【特許請求の範囲】
【請求項１】
前面に制御基板（２４）及び端子台（２２、２３）を収納するための開放面を設けた電装箱（３）と、前記端子台（２２、２３）及び試運転スイッチ（３４）等が表面に露出する状態で前記電装箱（３）の開放面に配置される中蓋（３１）と、この中蓋（３１）の前方に配置されて前記電装箱（３）に固定される外蓋（３８）とを備え、前記端子台（２２、２３）に接続されるケーブル（２８）を前記中蓋（３１）と外蓋（３８）との間に配置した構成の空気調和機であって、
前記外蓋（３８）は、それの一側縁の上下両部に前記電装箱（３）に係合させる係合部（４４、４５）をそれぞれ有すると共に、これら係合部（４４、４５）と離れた下部には前記電装箱（３）にねじ止めするねじ固定部（４６）を有し、
前記ねじ固定部（４６）から離れた外蓋（３８）の他側縁の上部を押える押え爪（４３）を、前記中蓋（３１）に形成して成ることを特徴とする空気調和機。
【請求項２】
前記中蓋（３１）に前記試運転スイッチ（３４）を露出する窓（３９）を設けたことを特徴とする請求項１に記載の空気調和機。
【請求項３】
前記ケーブル（２８）は分離型空気調和機の室内機と室外機間に配線されるユニット間ケーブルであることを特徴とする請求項１に記載の空気調和機。
【発明の詳細な説明】
【０００１】
【発明の属する技術分野】
本発明は、空気調和機に関し、特に室内機の電装箱の改良に関する。
【０００２】
【従来の技術】
一般に、空気調和機の本体内には、送風機、熱交換器等の機構部品とともに、それらを駆動制御する電装制御部品等が収納されている。
【０００３】
この電装制御部品は、一般に電装箱と称される箱体に入れられて本体内に収納されている。従来の電装箱には制御基板と端子台が並列に設けられており、電装箱の開放面には、この開放面に配置され、表面に端子台を露出し、制御基板を支持する中蓋が設けられる。中蓋の表側には、端子台を覆う外蓋が設けられる。そして、中蓋及び外蓋は、複数のねじにて電装箱に取り付けられる。
【０００４】
【発明が解決しようとする課題】
ところで、端子台へのケーブル接続時には、外蓋を外してケーブル接続作業を行ったり、空気調和機の点検・修理時には、外蓋及び中蓋を外し電装箱内の制御基板等を取り出して点検・修理を行ったりすることがある。このため、電装箱においては蓋の着脱を容易にしてサービス性の向上を図ることが求められている。
【０００５】
本発明は、上述に鑑みて成されたものであり、電装箱内に設けられた制御基板の点検・修理作業及び端子台へのケーブル着脱作業を容易にしてサービス性を向上した空気調和機を提供することを目的とする。
【０００６】
【課題を解決するための手段】
上記目的を達成するために、請求項１に記載の発明は、前面に制御基板（２４）及び端子台（２２、２３）を収納するための開放面を設けた電装箱（３）と、前記端子台（２２、２３）及び試運転スイッチ（３４）等が表面に露出する状態で前記電装箱（３）の開放面に配置される中蓋（３１）と、この中蓋（３１）の前方に配置されて前記電装箱（３）に固定される外蓋（３８）とを備え、前記端子台（２２、２３）に接続されるケーブル（２８）を前記中蓋（３１）と外蓋（３８）との間に配置した構成の空気調和機であって、前記外蓋（３８）は、それの一側縁の上下両部に前記電装箱（３）に係合させる係合部（４４、４５）をそれぞれ有すると共に、これら係合部（４４、４５）と離れた下部には前記電装箱（３）にねじ止めするねじ固定部（４６）を有し、前記ねじ固定部（４６）から離れた外蓋（３８）の他側縁の上部を押える押え爪（４３）を、前記中蓋（３１）に形成して成ることを特徴とする。
【０００７】
請求項２に記載の発明は、請求項１に記載の空気調和機において、前記中蓋（３１）に前記試運転スイッチ（３４）を露出する窓（３９）を設けたことを特徴とする。
【０００８】
請求項３に記載の発明は、請求項１に記載の空気調和機において、前記ケーブル（２８）は分離型空気調和機の室内機と室外機間に配線されるユニット間ケーブルであることを特徴とする、
【０００９】
【００１０】
【００１１】
【００１２】
【発明の実施の形態】
以下、本発明を図面に基づいて説明する。図１は本発明の一実施形態における空気調和機の室内機を示す分解斜視図、図２は電装箱に中蓋を装着した正面図、図３は中蓋の正面図、図４は図２の電装箱にケーブルを接続した正面図、図５は電装箱に外蓋を装着した正面図、図６は外蓋の正面図である。
【００１３】
図１において、１Ａは分離型空気調和機の室内機１の硬質合成樹脂製本体フレームを示し、その前面中央の向かって左寄りには、室内熱交換器２が収納され、その右方には、電装箱３が取り付けられ、熱交換器２の下方には左右に渡って硬質樹脂製のドレンパン４が設けられている。
【００１４】
前記熱交換器２は、左右の管板５間に所定間隔で複数枚配設された熱交換フィン６・・と、図示しない室外機（コンデンシングユニット）に接続されて冷媒が流れる冷媒管７と、図示しない室外のボイラーに流量可変弁８を介して接続され温水が流れる温水管９とから構成されている。これら冷媒管７及び温水管９は、管板５及び多数の熱交換フィン６を貫通して左右に蛇行状に配設されている。
【００１５】
前記本体フレーム１Ａの下部後方にはクロスフローファン１４が配設されており、このファン１４は電装箱３側に取り付けられたモータ１４Ｍによって回転駆動される。
【００１６】
前記ドレンパン４は、冷房運転時及びドライ運転時に熱交換器２から滴下する結露水を受容するものであり、係るドレンパン４には目詰まりによる満水を検知するための水位センサ１５が配置され、ドレンパン４の排水口４Ａにはドレンホース１６が接続されて後方に引き出されている。
【００１７】
図１、図２において、前記電装箱３は、硬質合成樹脂にて成型され前面に開放し縦長で奥行の長い箱体で、上部に端子台収納部１７、中央部から下部にかけて基板収納部１８が設けられ、基板収納部１８の上下の内面には前後方向にガイドレール（図示せず）が形成されている。端子台収納部１７には、３Ｐと２Ｐの２つの端子台２２、２３が並んで取り付けられ、基板収納部１８には、制御基板２４が縦向きに収容されると共に、この制御基板２４の上下の縁がガイドレールに係合されて摺動自在に収納されている。
【００１８】
この電装箱３には、それの左上側面１ヵ所と右側面の上下２ヵ所に、電装箱３を本体フレーム１Ａに固定するための本体固定部２５ａ、２５ｂ、２５ｃが設けられ、また、左側面の下部に水位センサ２６ａを取り付けるためのセンサ固定部２６が設けられている。さらに、電装箱３の下部には、ねじ取付用ボス２７が設けられ、後下部には固定具（図示せず）を介して後方から配線用ケーブル（ユニット間ケーブル）を固定するケーブル固定部２９が設けられている。
【００１９】
前記電装箱３の前方開放面には中蓋３１が装着される。この中蓋３１は、電装箱３の前面の開放面を覆うものであり、そして、図３に示すように、上部に端子台カバー部３５ａが、中央から下部にかけての左側にケーブル通路部３５ｂが、右側に基板カバー部３５ｃが、それぞれ形成されている。端子台カバー部３５ａの下方には、前記端子台２２、２３を表面に露出するための端子台開口部３２を有している。ケーブル通路部３５ｂは、基板カバー部３５ｃに比べ後方に凹み、その前方には基板カバー部３５ｃの側面から延びる横棒３６が形成されている。基板カバー部３５には、前記制御基板２４に取り付けられて前方から操作されるアドレススイッチ３３及び試運転スイッチ３４を露出するための２つの開口部３９、３９を有している。中蓋３１の裏側には、制御基板２４を前方から押えるための溝（図示せず）が形成され、中蓋３１の上縁には、後方に突出する突起板３７が、中蓋３１の左右両縁には、後方に突出する係止爪４１、４２が形成されている。端子台開口部３２の右縁には、前方に突出して左方に曲がるＬ形の押え爪（係合部）４３が形成されている。
【００２０】
図２において、前記突起板３７が、前記電装箱３の上板４９とその下方に形成されたリブ５０、５０との間に挟み込まれ、前記係止爪４１、４２が、電装箱３の両側板の外側を挟んで押え、これにより中蓋３１が電装箱３に係止される。なお、前記アドレススイッチ３３は、例えば、同じ部屋に複数の空気調和機を設置した場合に、これらの空気調和機を個別にリモコン操作することが可能となるように設定するスイッチであり、前記試運転スイッチ３４は、強制的に暖房または冷房運転する場合に用いるスイッチである。
【００２１】
図４において、前記中蓋３１の端子台開口部３２には、端子台２２、２３ケーブル挿入用の穴が露出し、この穴に室内機と室外機間に配線されるユニット間ケーブル２８が挿入されて接続される。ユニット間ケーブル２８は、一端が室外機に接続され、他端が部屋の壁孔を通って室内機１内に引き込まれる。そして、ユニット間ケーブル２８は、ケーブル固定部２９に固定され、電装箱３の下部を通り、ケーブル通路部３５ｂを通って横棒３６に挟み込まれ、３Ｐと２Ｐの端子台２２、２３に接続される。
【００２２】
図５、図６において、前記中蓋３１の前方には、外蓋３８が装着される。この外蓋３８は、前記中蓋３１の端子台開口部３２とケーブル通路部３５ｂとを覆っている。この外蓋３８の左縁には、左方に突出する２つの差込部（係合部）４４、４５が、下部には、ねじ孔を有するねじ固定部４６が、そして、左右の縁には、後方に突出する側壁４７、４７（図６参照）がそれぞれ形成されている。この外蓋３８は、差込部４４、４５が電装箱３に形成された溝（図示せず）に挿入され、側壁４７、４７の後端が中蓋３１の表面に当接され、右上部が前記中蓋３１の押え爪４３に押えられ、ねじ固定部４６が電装箱３に形成されたねじ取付用ボス２７にねじ止めされ、このようにして電装箱３に固定される。
【００２３】
このように構成された機構部品及び電装制御部品等の部品類を隠蔽するかたちで、本体フレーム１Ａの前側には、図１に示すように、本体カバー４８が取り付けられる。この本体カバー４８の前面中央部には、前記熱交換器２の前方に対応して格子状の開口が形成されるとともに、本体カバー４８の右側には、電装箱３の前面に対応して開口５１が形成されており、この開口５１を通して電装箱３の前面に設けられたスイッチ類の操作を行うことができる。本体カバー４８の前方には、スリット状の複数の吸込口５２を有する前面グリル５３が取り付けられており、そして、この前面グリル５３は、上辺を中心にして回動自在に本体カバー４８に取り付けられる。前面グリル５３と本体カバー４８の間には、左右に２枚のフィルタ５４が介設され、これらフィルタ５４は、下方に抜き差し自在に本体カバー４８に保持される。
【００２４】
前記本体カバー４８の下部には、左右に渡って吹出口５５が形成されており、この吹出口５５には、複数の左右風向調節羽根５６が回動自在に取り付けられる。また、吹出口５５には、上下吹出方向を調節するフラップ５７が取り付けられており、このフラップ５７は右端のフラップモータ５７Ｍにて駆動される。
【００２５】
以上説明したように、本実施形態の電装箱３は、開放面を覆う中蓋３１及び外蓋３８を有し、中蓋３１は、上部の突起板３７及び左右両縁の係止爪４１、４２により電装箱３に固定されており、そして、両係止爪４１、４２を外し、突起板３７を前方に引き出すことにより電装箱３から外れるので、その着脱が容易である。そして、外蓋３８は、差込部４４、４５と押え爪４３と１本のねじにて電装箱３に固定されている。そして、外蓋３８は、差込部４４、４５、押え爪４３及びねじ１本を外すことにより電装箱３から外れるので、複数のねじで固定していた従来と比べ、その着脱が容易である。また、外蓋３８は、差込部４４、４５と押え爪４３とねじ固定部４６とがそれぞれ外蓋３８の離れた位置に配置されているので、電装箱３に安定して固定され、中蓋３１も外蓋３８を固定することにより確実に固定される。
【００２６】
さらに、外蓋３８及び中蓋３１の着脱が容易であるので、電装箱３内の制御基板２４を容易に取り出すことができ、制御基板２４の点検・修理作業を容易にすることができる。
【００２７】
また、中蓋３１の表面から露出する端子台２２、２３にユニット間ケーブル２８を接続し、このユニット間ケーブル２８を中蓋３１と外蓋３８の間に配置するので、ユニット間ケーブル２８が電装箱３内の制御基板２４から隔離され、制御基板２４等に加わる外力を防いで安全性を向上することができる。
【００２８】
また、アドレススイッチ３３及び試運転スイッチ３４は、制御基板２４に取り付けられ、かつ、室内機１の前面グリル５３を開くことにより操作できるので、操作性及び使い勝手を良くしている。
【００２９】
以上、一実施形態に基づいて本発明を説明したが、本発明はこれに限定されるものではない。
【００３０】
本実施形態では、分離型壁掛け型の空気調和機を用いて説明しているが、一体型の空気調和機、埋込み型空気調和機や、天井カセット型空気調和機であっても良い。
【００３１】
【発明の効果】
以上説明したように、本発明の空気調和機は、前面に制御基板（２４）及び端子台（２２、２３）を収納するための開放面を設けた電装箱（３）と、前記端子台（２２、２３）及び試運転スイッチ（３４）等が表面に露出する状態で前記電装箱（３）の開放面に配置される中蓋（３１）と、この中蓋（３１）の前方に配置されて前記電装箱（３）に固定される外蓋（３８）とを備え、前記端子台（２２、２３）に接続されるケーブル（２８）を前記中蓋（３１）と外蓋（３８）との間に配置した構成の空気調和機であって、前記外蓋（３８）は、それの一側縁の上下両部に前記電装箱（３）に係合させる係合部（４４、４５）をそれぞれ有すると共に、これら係合部（４４、４５）と離れた下部には前記電装箱（３）にねじ止めするねじ固定部（４６）を有し、
前記ねじ固定部（４６）から離れた外蓋（３８）の他側縁の上部を押える押え爪（４３）を、前記中蓋（３１）に形成して成る構成であるから、１本のねじを着脱することにより外蓋が着脱でき、同様に、中蓋の着脱も容易であるので、制御基板等の点検・修理時の外蓋及び中蓋の着脱作業を軽減して点検・修理作業を容易にすることができる。
【００３２】
また、電装箱に収納された端子台が中蓋から露出し、この端子台にケーブルを挿入し接続するとともに、ケーブルを中蓋と外蓋の間に配置することにより、ケーブルを制御基板から隔離し、ケーブルに加わる外力が制御基板に加わることがないので、ケーブル挿脱作業を容易にすることができる。
【図面の簡単な説明】
【図１】  本発明の一実施形態における空気調和機の室内機を示す分解斜視図である。
【図２】  図１の電装箱に中蓋を装着した正面図である。
【図３】  図２の中蓋の正面図である。
【図４】  図２の電装箱にケーブルを接続した正面図である。
【図５】  図１の電装箱に外蓋を装着した正面図である。
【図６】  図５の外蓋の正面図である。
【符号の説明】
３    電装箱
２２ 端子台
２３ 端子台
２４    制御基板
２７    ねじ取付用ボス
２８    ユニット間ケーブル（ケーブル）
３１    中蓋
３２    端子台開口部
３３    アドレススイッチ
３４    試運転スイッチ
３５ａ  端子台カバー部
３５ｂ  ケーブル通路部
３５ｃ  基板カバー部
３７    突起板
３８ 外蓋
３９ 開口部（窓）
４１ 係止爪
４２ 係止爪
４３    押え爪
４４ 差込部（係合部）
４５ 差込部（係合部）
４６    ねじ固定部
【図１】
0003789809.tif 000002
【図２】
0003789809.tif 000003
【図３】
0003789809.tif 000004
【図４】
0003789809.tif 000005
【図５】
0003789809.tif 000006
【図６】
0003789809.tif 000007